(57)【要約】【課題】建築現場等に容易に可搬及び設置することが可能であり、エア消費量が大きく且つ駆動時間の長い工具へ長時間連続して圧縮空気を供給することが可能な補助タンク装置による圧縮空気供給システムを提供する。【解決手段】コンプレッサ２から供給される圧縮空気を貯留するようにした空気タンク１１を備え、同時に複数のコンプレッサ２から圧縮空気を空気タンク１１内に供給できるように空気タンク１１内と連通された複数の空気供給口１２、３２が形成されるとともに、複数の空気供給口１２、３２のうちの１つを除いた各々の空気供給口３２に遮断弁３３を形成してコンプレッサ２に接続されていない空気供給口３２を閉鎖できるようにした。【選択図】図１
2006162046.tif 000002
【特許請求の範囲】
【請求項１】
コンプレッサから供給される圧縮空気を貯留するようにした空気タンクを備え、複数台のコンプレッサと接続することによって同時に複数のコンプレッサから圧縮空気を前記空気タンク内に供給できるように前記空気タンク内と連通された複数の空気供給口が形成されるとともに、前記複数の空気供給口のうちの１つを除いた各々の空気供給口に遮断弁を形成してコンプレッサに接続されていない空気供給口を閉鎖できるようにしたことを特徴とする補助タンク装置による圧縮空気供給システム。
【請求項２】
コンプレッサから供給される圧縮空気を貯留するようにした空気タンクと、該空気タンク内に圧縮空気を取り込むための１つの空気供給口とを備えるとともに１つの補助タンク装置を除いた他の補助タンク装置の空気供給口に該空気供給口と空気タンク内とを開閉できるようにした遮断弁を形成してなる複数の補助タンク装置によって構成され、前記補助タンク装置を複数組み合わせて各補助タンク装置の空気タンク内を連通管によって連通させて一体に構成し、各々の空気供給口を介して接続される複数のコンプレッサから同時に圧縮空気を前記空気タンク内へ供給するようにしたことを特徴とする補助タンク装置による圧縮空気供給システム。
【発明の詳細な説明】
【技術分野】
【０００１】
本発明は、可搬タイプのコンプレッサによって釘打機やネジ締め機等の空気作動工具へ駆動用の圧縮空気を供給するようにした補助タンク装置による圧縮空気供給システムに関する。
【背景技術】
【０００２】
住宅等の建築現場では圧縮空気によって作動する釘打機やネジ締め機等を使用するために、コンプレッサを現場に持ち込んでこれらの工具へ圧縮空気を供給するようにしている。コンプレッサには圧縮空気を生成する圧縮機とこの圧縮機で生成された圧縮空気を貯留する空気タンクが搭載されており、前記空気タンクに溜められた圧縮空気を減圧弁によって空気動工具を作動させる圧力に減圧して工具へ供給するようにしている。このようなコンプレッサは作業現場への搬送や現場内での設置場所の移動等が容易にできるように小型軽量化が図られており、このためこのコンプレッサに搭載されている圧縮機も小型に形成され更に空気タンクの容量も小さく設定されている。従って、エア消費量の大きい高圧の釘打機やネジ締め機での連続作業を行う際には、コンプレッサの圧縮空気を生成する能力よりもエアの消費量の方が大きくなって、空気タンク内の圧力が低下してしまい、工具へ所定の圧力の圧縮空気を供給することができなくなってしまうことがある。
【０００３】
上記のような場合に、コンプレッサに補助タンク装置を接続して空気タンクの全体の容量を増大させることによって、大容量の空気タンク内に大量の圧縮空気を溜めることによって空気作動工具の連続使用時間を延ばすことが行われている。このように、コンプレッサに補助タンク装置を接続して全体の空気タンク容量を増やすことによって、全体の空気タンクに溜めたエアの圧力が工具を作動させる圧力に低下するまでの時間が長くなり、この間圧縮空気工具を駆動できる時間が長くでき、釘打機やネジ締め機等による作業時間が長くできて作業効率が低下してしまうことが防止できる。
【特許文献１】特開２００４−７６８６４号公報
【発明の開示】
【発明が解決しようとする課題】
【０００４】
従来の補助タンク装置では、コンプレッサから補助タンク装置へエアを供給する供給口が１つしか形成されていないため、補助タンク装置にコンプレッサを１台しか接続することができず、エアドライバやインパクトドライバ等のエア消費量が大きく且つ駆動時間が長い工具を使用する場合には、前述の従来技術のように補助タンク装置を接続して使用した場合でも、作業の途中で補助タンク装置と空気タンク内の圧力が低下して連続した作業ができなくなってしまう。一旦補助タンク装置と空気タンク内のエア圧が低下してしまうとこの大きな容量の補助タンク装置と空気タンク内に所定の圧力の圧縮エアを貯留させるまでの時間も長く掛かり、この間作業を中断させなければならないため作業効率を更に低下させてしまうことになる
【０００５】
本発明は、建築現場等に容易に可搬及び設置することが可能であり、エアドライバやインパクトドライバ等のエア消費量が大きく且つ駆動時間の長い工具へ、長時間連続して圧縮空気を供給することが可能な補助タンク装置による圧縮空気供給システムを提供することを課題する。
【課題を解決するための手段】
【０００６】
本発明の補助タンク装置による圧縮空気供給システムは、コンプレッサから供給される圧縮空気を貯留するようにした空気タンクを備え、複数台のコンプレッサと接続することによって同時に複数のコンプレッサから圧縮空気を前記空気タンク内に供給できるように前記空気タンク内と連通された複数の空気供給口が形成されるとともに、前記複数の空気供給口のうちの１つを除いた各々の空気供給口に遮断弁を形成してコンプレッサに接続されていない空気供給口を閉鎖できるようにしたことを特徴とする。
【０００７】
請求項２の発明は、コンプレッサから供給される圧縮空気を貯留するようにした空気タンクと、該空気タンク内に圧縮空気を取り込むための１つの空気供給口とを備えるとともに１つの補助タンク装置を除いた他の補助タンク装置の空気供給口に該空気供給口と空気タンク内とを開閉できるようにした遮断弁を形成してなる複数の補助タンク装置によって構成され、前記補助タンク装置を複数組み合わせて各補助タンク装置の空気タンク内を連通管によって連通させて一体に構成し、各々の空気供給口を介して接続される複数のコンプレッサから同時に圧縮空気を前記空気タンク内へ供給するようにしたことを特徴とする。
【発明の効果】
【０００８】
本発明の補助タンク装置による圧縮空気供給システムによれば、コンプレッサから供給される圧縮空気を貯留するようにした空気タンクを備え、複数台のコンプレッサと接続することによって同時に複数のコンプレッサから圧縮空気を前記空気タンク内に供給できるように前記空気タンク内と連通された複数の空気供給口を形成しているので、これらの空気供給口に複数のコンプレッサを接続して複数台のコンプレッサから圧縮空気を空気タンク内に供給でき、大型の釘打機や複数台の釘打機等の大量の圧縮空気を消費する作業を連続して行うことが可能となり作業効率を向上できる。また、複数の空気供給口のうちの１つを除いた各々の空気供給口に遮断弁を形成してコンプレッサを接続していない空気供給口を空気タンク内と遮断させることができ、コンプレッサ１台から複数台まで任意の台数を接続して使用することが可能となる。
【０００９】
また、請求項２の発明は、コンプレッサから供給される圧縮空気を貯留するようにした空気タンクと、該空気タンク内に圧縮空気を取り込むための１つの空気供給口とを備えるとともに１つの補助タンク装置を除いた他の補助タンク装置の空気供給口に該空気供給口と空気タンク内とを開閉できるようにした遮断弁を形成してなる複数の補助タンク装置によって構成され、前記補助タンク装置を複数組み合わせて各補助タンク装置の空気タンク内を連通管によって連通させて一体に構成し、各々の空気供給口を介して接続される複数のコンプレッサから同時に圧縮空気を前記空気タンク内へ供給するようにしているので、使用するコンプレッサの台数に応じて、また、使用する空気作動工具の台数に応じて前記補助タンク装置を複数組み合わせてシステムを形成するこができ、任意の複数台のコンプレッサを接続して圧縮空気を空気タンク内に供給することができ、大型の釘打機や複数台の釘打機等の大量の圧縮空気を消費する作業に併せて圧縮空気供給システムを構成することができコストの低減が可能となる。
【発明を実施するための最良の形態】
【００１０】
本発明は、建築現場等に容易に可搬及び設置することが可能であり、エアドライバやインパクトドライバ等のエア消費量が大きく且つ駆動時間の長い工具へ、長時間連続して圧縮空気を供給するという目的を、コンプレッサから供給される圧縮空気を貯留するようにした空気タンクを備え、複数台のコンプレッサと接続することによって同時に複数のコンプレッサから圧縮空気を前記空気タンク内に供給できるように前記空気タンク内と連通された複数の空気供給口が形成されるとともに、前記複数の空気供給口のうちの１つを除いた各々の空気供給口に遮断弁を形成してコンプレッサに接続されていない空気供給口を閉鎖できるようにしたことによって実現したものであり、以下により詳細な実施例を説明する。
【実施例１】
【００１１】
図１は、２台のコンプレッサ２で生成された圧縮空気を空気釘打機等の空気作動工具３ａ、３ｂへ供給して空気作動工具空気作動工具３ａ、３ｂを作動させるようにした本発明の補助タンク装置による圧縮空気供給システムの実施例を示すものである。この実施例にかかる補助タンク装置による圧縮空気供給システム１は、コンプレッサで生成した圧縮空気を貯留する空気タンク１１、３１がそれぞれ形成されるとともに、２台のコンプレッサ２にそれぞれが接続されるようにされた２つの補助タンク装置１０、３０によって構成されている。更に、この実施例にかかる補助タンク装置による圧縮空気供給システム１は、高圧専用の空気作動工具へ高圧域の圧力の駆動用の圧縮空気を供給できるように、この補助タンク装置による圧縮空気供給システム１に接続されるコンプレッサ２は高圧域の圧縮空気を生成して供給できるタイプのコンプレッサ２が接続されるようにされている。
【００１２】
各補助タンク装置１０、３０にはコンプレッサ２から供給される圧縮空気を貯留する空気タンク１１、３１が形成されており、この空気タンク１１、３１内に圧縮空気を供給する空気供給口１２、３２が形成されている。それぞれの空気供給口１２、３２には一端がコンプレッサ２に接続されているエアホース４を接続するエアプラグ１３が取り付けられており、このエアプラグ１３に接続されるエアホース４を介して各補助タンク装置１０、３０の空気タンク１１、３２へコンプレッサ２によって生成された圧縮空気が供給されるようにされている。各補助タンク装置１０、３０の空気タンク１１、３２内は連通管５によって連結されており、この連通管５内を圧縮空気が流通することによって２つの補助タンク装置１０、３０の空気タンク１１、３２内の圧力は同一に維持されている。そして、各補助タンク装置１０、３０に形成されている空気取出ユニット１４、３６に接続されているエアホース６を介して空気作動工具３ａ、３ｂに駆動用の圧縮空気が供給されるようにしている。
【００１３】
図２及び図３に示すように、前記補助タンク装置１０に形成されている空気供給口１２には前記エアプラグ１３が直接取り付けられており、このエアプラグ１３を介して補助タンク装置１０をコンプレッサ２とエアホース４によって接続することによって、コンプレッサ２で生成される圧縮空気が補助タンク装置１０の空気タンク１１内に直接供給されるようにしている。上記エアプラグ１３は高圧専用のエアプラグに形成されており、高圧域の圧縮空気を生成するコンプレッサ２と接続できるようにされている。この補助タンク装置による圧縮空気供給システム１を使用するときにはこの補助タンク装置１０の空気供給口１２は必ずコンプレッサ２とエアホース４を介して接続するようにしている。更に、上記空気供給口１２には、この補助タンク装置１０と隣接して配置される補助タンク装置３０の空気タンク３１との間を連通させる連通管５を接続するためのニップル１５が形成されており、連通管５を連結していないときにはこのニップル１５に栓を螺合することによって閉鎖させている。
【００１４】
更に、この補助タンク装置１０に形成されている空気取出ユニット１４は、空気タンク１１内に溜められている高圧域の圧縮空気の圧力を常圧専用の空気作動工具３ａを作動させる常圧域の圧力まで減圧する減圧弁１６と、前記減圧弁１６によって減圧された圧力値を表示する圧力計１７及び前記減圧弁１６によって常圧域の圧力まで減圧された圧縮空気を空気作動工具３ａ等へ供給するため一端が空気作動工具３ａに連結された前記エアホース６を連結する常圧専用のソケット部１８とが一体のユニットとして形成されて前記空気タンク１１に取り付けられており、減圧弁１６によって適切な作動空気圧に減圧された圧縮空気がソケット部１８に接続されるエアホース６を介して常圧専用の空気作動工具３ａへ供給される。更に前記空気取出ユニット１４には、端部が空気タンク１１内の底部に配置されたドレンパイプ１９と該ドレンパイプ１９を介して空気タンク１１内のドレンを空気タンク１１外へ排出させるドレンコック２０が形成されており、空気タンク１１内の底部に溜まったドレンを必要により排出できるようにしている。
【００１５】
図４及び図５に示すように、他方の補助タンク装置３０にも前記補助タンク装置１０と同様に高圧専用のエアプラグ１３を備えた空気供給口３２が形成されており、この補助タンク装置３０の空気供給口３２のエアプラグ１３と空気タンク３１との間にはレバー３４を回動操作することによってエアプラグ１３と空気タンク３１間の流路を開閉する遮断弁３３が形成されており、この補助タンク装置３０にコンプレッサ２を接続していない場合にはこの遮断弁３３を閉じてこの補助タンク装置３０の空気タンク３１内の圧縮空気がエアプラグ１３から流出してしまわないようにしている。更に、上記空気供給口３２には、隣接して配置される補助タンク装置１０の空気タンク１１との間を連通させる連通管５を接続するためのニップル３５が形成されている。
【００１６】
更に、この補助タンク装置３０には高圧専用の空気作動工具３ｂへ作動用の高圧域の圧縮空気を供給する空気取出ユニット３６が設けられており、この空気取出ユニット３６は、空気タンク３１内の圧縮空気を高圧専用の空気作動工具３ｂを作動させる高圧域の圧力に減圧させる減圧弁３７と、前記減圧弁３７によって減圧された圧力値を表示する圧力計３８、及び、前記減圧弁３７によって減圧された高圧域の圧縮空気を高圧専用の空気作動工具３ｂへ供給するため一端が高圧専用の空気作動工具３ｂに連結された前記エアホース６を連結する高圧専用のソケット部３９とが一体のユニットとして形成されて前記空気タンク３１に取り付けられている。減圧弁３７によって適切な作動空気圧に減圧された高圧域の圧縮空気がソケット部３９に接続されるエアホース６を介して高圧専用の空気作動工具３ｂへ供給される。
【００１７】
この補助タンク装置３０と前述の補助タンク装置１０とを圧縮空気供給システムとして組み合わせて使用する場合に、補助タンク装置１０の空気取出ユニット１４と補助タンク装置３０の空気取出ユニット３６に、常圧専用の空気作動工具３と高圧専用の空気作動工具を接続して２台の空気作動工具３を同時に使用できるようにしている。なお、空気取出ユニットは補助タンク装置による圧縮空気供給システム１として少なくとも１つ形成されていればよいので、空気作動工具３ａ、３ｂを１台しか使用しない場合にはこの補助タンク装置３０の空気取出ユニット３６又は前述の補助タンク装置１０の空気取出ユニット１４の何れかを省略することができる。
【００１８】
前記補助タンク装置１０と補助タンク装置３０の空気タンク１１、３１は長胴型に形成されており、この空気タンクの下面側には補助タンク装置１０、３０を床面等に設置するためのゴム等で形成されている設置脚２１が取り付けられており、更にこれらの空気タンク１１、３１の上面にはＵ字状に形成されたグリップ７の両端を取り付けるための２つのブラケット２２が空気タンク１１、３１の長手方向に沿って間隔を隔てて形成されており、Ｕ字状に形成されたグリップ７の両端部をこれらの前記ブラケット２２にネジ止めして取り付け、補助タンク装置１０、３０をこのＵ字状に形成された前記グリップ７によって可搬できるようにしている。
【００１９】
前記補助タンク装置１０、３０を組み合わせて補助タンク装置による圧縮空気供給システム１として構成する場合には、図１及び図６に示すように、両補助タンク装置１０、３０を各々の空気タンク１１、３１の長手方向軸が互いに並行となるように並設して、Ｕ字状に形成された前記グリップ７を空気タンク１１、３１の長手方向に対して直角方向に向けて、このグリップ７の両端部を両補助タンク装置１０、３０のブラケット２２間に取り付けることによって、このグリップ７によって２つの補助タンク装置１０，３０をユニット化にして一体に可搬及び設置できるようにしている。更に、補助タンク装置１０の空気供給口１２に形成したニップル１５と補助タンク装置３０の空気供給口３２に形成されているニップル３５間を連通管５によって接続することによって、両補助タンク装置１０、３０の空気タンク１１、３１内が連通管５を介して連通される。
【００２０】
上記のように、本実施例によれば、空気タンク１１、３１を備えた圧縮空気供給システムとして、２つの空気供給口１２、３２を形成しているので２つのコンプレッサ２、２から同時に圧縮空気を空気タンク１１、３１内へ供給し、この空気タンク１１、３１を介して空気作動工具３ａ、３ｂへ駆動用の圧縮空気を供給するようにしているので、圧縮空気消費量の大きな空気作動工具を連続して使用したり又は、駆動時間が長いエアモータを使用している空気作動工具を連続して使用する作業時に、空気タンク１１、３１内の圧力が低下して作業が中断されてしまう時間がなくなるか、又は作業中断時間を大幅に短縮でき作業効率を向上させることが可能となる。
【００２１】
図７は本発明の補助タンク装置による圧縮空気供給システムの別の実施例を示すもので、この実施例に係る補助タンク装置による圧縮空気供給システム１ａは、前述の実施例の補助タンク装置１０及び補助タンク装置３０と、更に空気タンク全体の容積を増大するための補助タンク装置４０を組み合わせて補助タンク装置による圧縮空気供給システム１ａとして構成している。図８及び図９に示すように、この補助タンク装置４０は、下面側に設置脚２１を取り付けた長胴型の空気タンク４１を備えており、この空気タンク４１の上面側には隣接して配置される補助タンク装置の空気タンク内と連通させる連通管５を接続するための２つのニップル１５を取り付けている連通口４２が形成されている。
【００２２】
また、前記補助タンク装置４０には、端部が空気タンク４１内の底部に配置されたドレンパイプ１９と該ドレンパイプ１９を介して空気タンク４１内のドレンを空気タンク４１外へ排出させるドレンコック２０が形成されており、空気タンク４１内の底部に溜まったドレンを必要により排出できるようにしている。更に、この補助タンク装置４０の空気タンク４１の上面には前述の補助タンク装置１０、３０と同様にＵ字状のグリップ７を取り付けるためのブラケット２２が形成されている。そして、この補助タンク装置４０には、前記補助タンク装置１０、３０に形成されている空気供給口１２、３２と空気取出ユニット１４、３６は形成されていない。
【００２３】
この補助タンク装置４０は図７に示すように、前述の補助タンク装置１０及び補助タンク装置３０と組み合わせて補助タンク装置による圧縮空気供給システム１ａを構成して使用される。補助タンク装置４０は前記補助タンク装置１０、３０の間に並列して配置され、２つのＵ字状のグリップ７の各々の両端を補助タンク装置１０と補助タンク装置４０のブラケット２２及び補助タンク装置３０と補助タンク装置４０のブラケット２２間にネジ止めして取り付け、更に、補助タンク装置１０と補助タンク装置３０の残ったブラケット２２間を連結杆８によって連結することによって、３つの補助タンク装置１０、３０、４０を一体に連結させている。
【００２４】
更に、補助タンク装置４０の連通口４０に取り付けられている１つのニップル１５と補助タンク装置１０の空気供給口１２に取り付けられているニップル１５との間を連通管５によって接続することによって補助タンク装置１０の空気タンク１１内と補助タンク装置４０の空気タンク４１内とを連通させ、更に、連通口４０に取り付けられている他方のニップル１５と補助タンク装置３０の空気供給口３２に取り付けられているニップル１５間を連通管５によって接続することによって、補助タンク装置３０の空気タンク３１内と補助タンク装置４０の空気タンク４１内とを連通させている。
【００２５】
そして、補助タンク装置１０の空気供給口１２に形成されているエアプラグ１３と、補助タンク装置３０の空気供給口３２に形成されているエアプラグ１３をコンプレッサ２に接続して２台のコンプレッサ２から補助タンク装置による圧縮空気供給システム１ａの３つの空気タンク１１、３１、４１内に圧縮空気を供給するようにしている。そして、補助タンク装置１０と補助タンク装置３０に形成されている空気取出しユニット１４、３６の何れかのソケット部１８、３９に１つの常圧専用の空気作動工具３ａ、又は、高圧専用の空気作動工具３ｂを接続して１つの空気作動工具３よって作業をしたり、又は、補助タンク装置１０と補助タンク装置３０の両方のソケット部１８、３９に各々空気作動工具３ａ、３ｂを接続して同時に２つの空気作動工具３ａ、３ｂよる作業を行うことができる。なお、補助タンク装置１０の空気供給口１２のみに１台のコンプレッサ２を接続して、前記補助タンク装置３０の空気供給口３２に形成されている遮断弁３３を閉じた状態で使用することによって、１台のコンプレッサに接続して使用する通常の補助タンク装置としての使用が可能である。
【００２６】
上記実施例による補助タンク装置による圧縮空気供給システム１によれば、各々に１つの空気供給口１２、３２を形成した補助タンク装置１０、３０を任意に組み合わせすることによって、接続するコンプレッサの台数や空気タンク容量等を任意に構成することが可能となり、空気作動工具３ａ、３ｂの駆動条件や作業条件に併せて任意に補助タンク装置による圧縮空気供給システム１を構成することが可能である。また、これらの補助タンク装置による圧縮空気供給システム１に空気供給口１２、３２や空気取出ユニット１４、３６を形成していない補助タンク装置４０を任意に連結することによってタンク容量を増大させた補助タンク装置による圧縮空気供給システム１ａを形成することができ、更にエア消費量の大きな空気作動工具３ａ、３ｂや、複数の空気作動工具の同時使用による連続作業時間を長くすることができる。
【００２７】
前述の実施例では、各々に空気タンク１１、３１が形成されるとともに空気供給口１２、３２が各々１つずつ形成されている補助タンク装置１０、３０を連結することによって、複数の空気供給口１２、３２が形成された補助タンクユニット１として形成しているが、１つの空気タンクに複数の空気供給口を形成して、複数のコンプレッサからこの１つの空気タンク内へ圧縮空気を供給させるようにしてもよい。更に、これらの複数の空気供給口の１つを除いた空気供給口に開閉弁を形成して構成し、コンプレッサを接続しない空気供給口を閉じられるようにすることによって、任意の台数のコンプレッサを接続して使用することが可能となる。
【００２８】
また、前述の実施例では、常圧専用の空気取出ユニット１４が形成された補助タンク装置１０と高圧専用の空気取出ユニット１４を形成した補助タンク装置３０を連結して補助タンク装置による圧縮空気供給システム１を構成して、常圧専用の空気作動工具と高圧専用の空気作動工具とを各１台ずつ接続して使用できるようにしているが、両方の補助タンク装置１０、３０に何れも常圧専用の空気取出ユニット１４を形成したり、又は両方の補助タンク装置１０、３０の空気取出ユニット１４を何れも高圧専用にしたり、更に、空気作動工具３を１台しか使用しない場合には何れかの補助タンク装置の空気取出ユニットを形成しない構成としても良い。
【００２９】
更に、前記補助タンク装置３０の空気供給口３２に形成されている遮断弁３３として、実施例ではレバー３４の操作によって人為的に遮断弁３３を開閉操作するようにしているが、この空気供給口３２のエアプラグ１３に接続されたコンプレッサ２から圧縮空気が供給されている際にはこの供給圧力によって開放して圧縮空気を空気タンク３１内へ供給し、エアプラグ１３にコンプレッサ２が接続されていないときには自動的に閉じて空気タンク３１内からエアプラグ１３側への圧縮空気の流出を遮断するようにしたボール弁等を形成しても良い。
【図面の簡単な説明】
【００３０】
【図１】本発明の補助タンク装置による圧縮空気供給システムの使用態様の一例を示す構成図
【図２】図１の圧縮空気供給システムを構成している補助タンク装置を示す平面図
【図３】図２の補助タンク装置の一部を断面して示す側面図
【図４】図１の圧縮空気供給システムを構成している他の補助タンク装置を示す平面図
【図５】図３の補助タンク装置の一部を断面して示す側面図
【図６】図１と同じ補助タンク装置による圧縮空気供給システムの正面図
【図７】本発明の補助タンク装置による圧縮空気供給システムの別の実施例を示す平面図
【図８】図７の圧縮空気供給システムを構成している補助タンク装置の平面図
【図９】図８の補助タンク装置の一部を断面して示す側面図
【符号の説明】
【００３１】
１、１ａ  圧縮空気供給システム
２  コンプレッサ
３ａ、３ｂ  空気作動工具
５  連通管
１０  補助タンク装置
１１  空気タンク
１２  空気供給口
１４  空気取出ユニット
３０  補助タンク装置
３１  空気タンク
３２  空気供給口
３３  遮断弁
【図１】
2006162046.tif 000003
【図２】
2006162046.tif 000004
【図３】
2006162046.tif 000005
【図４】
2006162046.tif 000006
【図５】
2006162046.tif 000007
【図６】
2006162046.tif 000008
【図７】
2006162046.tif 000009
【図８】
2006162046.tif 000010
【図９】
2006162046.tif 000011